(57)【要約】      （修正有）【課題】ティーバッグの紙タグが簡単にお湯の中に落ちることなく、必要に応じて、カップ内にある高さを調整可能な、紙タグ付きティーバッグを提供する。【解決手段】内側壁と外側壁を有するカップに入れる紙タグ付きティーバッグであって、タグ２０、紐３０とティーバッグ４０を備えてなり、ユーザはニーズに応じて、タグをカップの外側面に接着させ、ティーバッグをカップ内のお湯の上方に吊り上げたり、お湯の中に下げたりすることが可能なため、揺れや風などでカップの中に落ちたりしやすいこと、及びお茶の湯から取り出されたティーバッグの一時置き場を解決できることを特徴とする。【選択図】図２
0003208759.tif 000002
【実用新案登録請求の範囲】
【請求項１】
粘着層と固定層を備えてなるタグであって、該粘着層は、粘着部と接合部を備え、該粘着部と該接合部は粘着性がある一側と粘着性がない他側を備え、該粘着部の一端は該接合部であり、該接合部の片面にある糊付き層が、該固定層の一端と接着することで、該固定層が該接合部に固定され、該固定層の、該接合部を接着した部分の他端に通し孔がある、タグと、
一端を該通し孔に貫通して、固定される紐と、  
該紐の、該通し孔の他端に固定、接合されたティーバッグと、を備えてなることを特徴とする、
紙タグ付きティーバッグ。
【請求項２】
更に手持ち部が設けられ、該手持ち部は粘着性なしの部分であり、該粘着層の、該粘着部と該接合部を接合したところの他端であることを特徴とする請求項１に記載の紙タグ付きティーバッグ。
【請求項３】
該ティーバッグは、水透過性不織布で作られた袋体であることを特徴とする請求項１に記載の紙タグ付きティーバッグ。
【考案の詳細な説明】
【技術分野】
【０００１】
本考案は、吊り下げ式ティーバッグに関し、特に紙タグ付きティーバッグに関する。  
【背景技術】
【０００２】
図１に示すように、カップ４０Ａには、従来のお茶パックを入れるのに供する飲み口４１Ａがあり、従来のお茶パックは、ティーバッグ１０Ａ、紐２０Ａとタグ３０Ａを備えてなる。ティーバッグ１０Ａには茶葉が入れられる。タグ３０Ａには掛け部３１Ａと挟み部３２Ａがあり、タグ３０Ａの挟み部３２Ａの一端を掛部３１Ａの一端に接合して、挟み部３２Ａと掛部３１Ａの間に角度調整可能なスペースが設けられ、紐２０Ａの一端はティーバッグ１０Ａに、他方端はタグ３０Ａに接合する。  
使用の時、ティーバッグ１０Ａをカップ４０Ａの中へ入れ、それから、タグ３０Ａの掛部３１Ａと挟み部３２Ａの間にある該角度調整可能な空間に飲み口４１Ａの一側を挟むことによって、タグ３０Ａを固定すると同時に、タグ３０Ａがお茶の湯へ落ちることを防ぐことができる。  
【０００３】
しかし、従来のお茶パックのタグ３０Ａは、一般的な紙シートで作られたものが多く、そのようなタグ３０Ａは軽いので、使用の時、ちょっとした揺れや風などで、容易にカップ４０Ａに落ちることがあった。また、実際の使用の時、ティーバッグ１０Ａがお湯の中に長く浸かると、お茶が苦くなるため、ティーバッグ１０Ａをお湯の中から取り出して、再使用できるようにカップの蓋の上に置いたり、ティッシュペーパーで包んでいたが、これは衛生的ではなかった。
以上に鑑みて、タグが容易にお茶の湯に落ちることなく、お湯の中に浸かっているティーバッグを取り出すのに、カップ内にある高さを調整可能な、新型紙タグ付きティーバッグを提供する必要がある。  
【考案の概要】
【考案が解決しようとする課題】
【０００４】
本考案は、ティーバッグの紙タグが簡単にお湯の中に落ちることなく、必要に応じて、カップ内にある高さを調整可能な、紙タグ付きティーバッグを提供することを目的とする。  
【課題を解決するための手段】
【０００５】
本考案は、粘着層と固定層を備えてなるタグであって、粘着層は、粘着部と接合部を備え、粘着部と接合部は粘着性がある一側と粘着性がない他側を備え、粘着部の一端は接合部であり、接合部の片面にある糊付き層が、固定層の一端と接着することで、固定層が接合部に固定され、固定層の、接合部を接着した部分の他端に通し孔がある、タグと、一端を通し孔に貫通して、固定される紐と、紐と共に通し孔の他方端に固定、接合されたティーバッグと、を備えてなることを特徴とする紙タグ付きティーバッグを提供する。
【０００６】
好適な実施例では更に、手持ち部が設けられ、該手持ち部は粘着性なしの部分であり、該粘着部と該接合部を接合したところの他側である。
【０００７】
好適な実施例では、ティーバッグは水透過性不織布で作られた袋体である。
【考案の効果】
【０００８】
本考案の提供する紙タグ付きティーバッグは、従来のティーバッグの、タグがお茶の湯に落ちやすい問題、及び湯から取り出されたティーバッグの一時置き場の問題、を解決することができる。
【図面の簡単な説明】
【０００９】
【図１】背景技術の実施例の図。
【図２】本考案の好適な実施例の図。
【図３】本考案の好適な実施例の断面図。
【図４】本考案の好適な実施例のもう一つの状態の断面図。
【図５】本考案の好適な実施例のもう一つの使用状態の立体図。
【考案を実施するための形態】
【００１０】
図２〜図４に示すように、本考案は、内側壁１１と外側壁１２を有するカップ１０に入れるもので、タグ２０、紐３０とティーバッグ４０を備えてなる紙タグ付きティーバッグを提供する。
【００１１】
タグ２０は、粘着層２１と固定層２２を備えてなり、粘着層２１は、手持ち部２１０、粘着部２１１と接合部２１２がある。手持ち部２１０は粘着性なしの部分で、粘着部２１１と接合部２１２は粘着性ありの一側と粘着性なしの他側がある。粘着部２１１の一端は手持ち部２１０に、他端は接合部２１２に接合され、接合部２１２の片面にある糊付き層は固定層２２の一端と固定、接着される。それによって、粘着層２１が固定層２２の接合部２１２と接合、固定する。固定層２２の、接合部２１２と接着したところの他端に、通し孔２２０がある。  
【００１２】
本実施例における紐３０は綿紐であり、紐３０の一端を通し孔２２０に貫通して、固定される。  
【００１３】
本実施例におけるティーバッグ４０は水透過性不織布で作られた袋体であり、紐３０と共に、通し孔２２０の他方端に固定、接合される。
【００１４】
図４に示すように、使用の時、粘着部２１１の粘着性ありの片面を、固定層２２と接合部２１２が固定、接着されたところの他方面に接着させるようにし、粘着部２１１は繰り返し使用が可能で、収容して再利用する効果がある。  
【００１５】
図５に示すように、使用の時、ティーバッグ４０をカップ１０の中に入れ、お湯を注ぐが、粘着層２１の粘着部２１１は繰返し取り外し可能、またはカップ１０の外側壁１２のいずれかのところに繰り返し粘着可能で、ティーバッグ４０のカップ１０内での高さを調整することが可能なため、茶葉がお湯の中に長く浸かったりして、お茶が苦くなることを避けられる。
お湯の中に浸かっているティーバッグ４０を取り出すとき、粘着部２１１をカップの底部近くに接着させてもよく、ティーバッグ４０は紐３０が引かれたことに伴い、お湯から離れ、粘着部２１１を外側壁１２に接着して、紐３０を固定させることで、ティーバッグ４０を内側壁１１のお湯の上方に吊り上げることができる。  
【００１６】
本考案の提供する紙タグ付きティーバッグは、従来技術の、タグ３０Ａが揺れや風などでカップの中に落ちたりしやすい問題、及び湯から取り出されたティーバッグの一時置き場の問題、を解決することができる。
【符号の説明】
【００１７】
１０Ａ  ティーバッグ
２０Ａ  紐
３０Ａ  タグ
３１Ａ  掛部
３２Ａ  挟み部
４０Ａ  カップ
１０    カップ
１１    内側壁
１２    外側壁
２０    タグ
２１    粘着層
２１０  手持ち部
２１１  粘着部
２１２  接合部
２２    固定層
２２０  通し孔
３０    紐
４０    ティーバッグ
【図１】
0003208759.tif 000003
【図２】
0003208759.tif 000004
【図３】
0003208759.tif 000005
【図４】
0003208759.tif 000006
【図５】
0003208759.tif 000007